(57)【特許請求の範囲】
【請求項１】
陸上競技場の走路の地表面を温調媒体によって温調する地表面温調装置であって、
前記走路の地表面下に埋設された複数の温調管と、
前記各温調管に接続され、前記温調媒体を前記温調管に分配し又は前記温調管から回収するヘッダー管と、を備え、
前記ヘッダー管が、前記陸上競技場のフィールドの地表面下に前記走路に沿って設けられた排水管に収容されて、前記排水管ひいては前記走路に沿って延びており、
前記排水管が、上側部に開放部が形成された管本体部と、前記開放部を閉塞する蓋部とを有し、前記蓋部には挿通穴が形成され、
前記温調管が、前記走路の地表面下から前記フィールドの地表面下へ延び、前記フィールドの地表面下において下方へ延びて前記挿通穴に通されることで前記蓋部を貫通して、前記排水管の内部において前記ヘッダー管と接続されており、
前記蓋部が、前記温調管の前記貫通状態及び前記接続状態で開閉可能であることを特徴とする地表面温調装置。
【請求項２】
陸上競技場の走路の地表面を温調媒体によって温調する地表面温調装置であって、
前記走路の地表面下に埋設された複数の温調管と、
前記各温調管に接続され、前記温調媒体を前記温調管に分配し又は前記温調管から回収するヘッダー管と、を備え、
前記ヘッダー管が、前記陸上競技場のフィールドの地表面下に前記走路に沿って設けられた排水管に収容されて、前記排水管ひいては前記走路に沿って延びており、
前記排水管の上側部に開放部が形成されており、
前記フィールドの地表面と前記排水管との間の地中に埋設され、前記排水管の上側に被さって前記開放部を開閉可能に塞ぐ閉塞部材を更に備え、前記閉塞部材の内部に連通路が形成され、
前記連通路の一端部に前記温調管が接続され、
前記連通路の他端部が前記排水管の内部に臨むとともに連結管を介して前記ヘッダー管と連なっており、
前記閉塞部材が前記排水管より前記走路側へ突出され、前記閉塞部材の前記走路側を向く端面が前記走路と前記フィールドとの境付近に配置され、前記端面に前記連通路と前記温調管との接続部が設けられていることを特徴とする地表面温調装置。
【請求項３】
前記排水路には、前記分配のための供給ヘッダー管及び前記回収のための排出ヘッダー管が並んで収容されており、前記供給ヘッダー管及び前記排出ヘッダー管がそれぞれ前記ヘッダー管を構成することを特徴とする請求項１又は２に記載の地表面温調装置。
【発明の詳細な説明】
【技術分野】
【０００１】
本発明は、陸上競技場の走路（トラック）の地表面を温調する地表面温調装置に関し、特に、走路の地表面下に温調媒体を流通させて温調する地表面温調装置に関する。
【背景技術】
【０００２】
屋外の陸上競技場は、夏季には地表温度が６０℃以上になることがあり、クラウチングスタートで手をついた際の熱感や熱中症の危険等、アスリートへの影響が指摘されている。従来の一般的な対策としては、地表に反射塗料を被膜したり散水したりしているが、反射塗料だけでは冷却効果が小さく、散水すると滑り易くなり競技に影響が生じる。
【０００３】
特許文献１では、道路等に温調管を埋設している。夏季には、冷却媒体を温調管に流通させることによって冷却し、冬季には、熱媒体を温調管に流通させることによって加温や融雪を行なっている。
特許文献２では、サッカーグラウンドやゴルフ場等の植栽地に複数の温調管を埋設することで温調している。これら温調管の端部がヘッダー管によって連ねられている。
【先行技術文献】
【特許文献】
【０００４】
【特許文献１】特開平１−２９９９０３号公報
【特許文献２】特開２００３−６１４８９号公報
【発明の概要】
【発明が解決しようとする課題】
【０００５】
陸上競技場における夏季の高温化対策として、上掲特許文献１，２等のような温調管を陸上競技場の走路の地表面下に配置して、走路を冷却（温調）することが考えられる。
その場合、複数の温調管を連ねるヘッダー管の配置場所を確保する必要がある。また、ヘッダー管と温調管との接合部では、温調媒体の漏れが起きやすいところ、通常、前記接合部は地中に埋まっているために点検が容易でない。交換等のメンテナンスを行うのも大変である。
本発明は、かかる事情に鑑み、陸上競技場において、ヘッダー管の配置場所を確保でき、かつ温調媒体の漏れ点検等のメンテナンスが容易な地表面温調装置を提供することにある。
【課題を解決するための手段】
【０００６】
前記問題点を解決するために、本発明は、陸上競技場の走路の地表面を温調媒体によって温調する地表面温調装置であって、
前記地表面下に埋設された温調管と、
前記温調管に接続され、前記温調媒体を前記温調管に分配し又は前記温調管から回収するヘッダー管と、を備え、
前記ヘッダー管が、前記陸上競技場のフィールドに設けられた排水路に収容されていることを特徴とする。
【０００７】
この地表面温調装置によれば、フィールドの地中にヘッダー管の収容スペースを確保でき、ヘッダー管のための埋設溝を別途掘削する必要がない。また、ヘッダー管と温調管との接続部を容易に点検することができ、メンテナンスが容易である。
前記走路の内側のインフィールドの排水路にヘッダー管を収容してもよく、前記走路の外側のアウトフィールドの排水路にヘッダー管を収容してもよい。
【０００８】
各々が前記ヘッダー管を構成する供給ヘッダー管及び排出ヘッダー管を備え、
前記排水路に前記供給ヘッダー管及び排出ヘッダー管が並んで収容されていることが好ましい。これによって、フィールドの地中に供給ヘッダー管及び排出ヘッダー管の収容スペースを確保できる。
【０００９】
前記温調管が、前記排水路の内壁に形成された挿通穴に通され、前記排水路の内部において前記ヘッダー管と接続されていてもよい。
これによって、ヘッダー管と温調管との接続部が排水路の内部に配置される。したがって、たとえ前記接続部から温調媒体が漏れとしても、漏れた温調媒体は排水路内に直接的に流入して排出される。よって、地表面温調装置の地中に温調媒体が含浸されるのを防止でき、温調媒体が地中の土砂に染み込むのを防止できる。
【００１０】
前記排水路の上側部に開放部が形成されており、
前記開放部を開閉可能に塞ぐ閉塞部材を備え、前記閉塞部材の内部に連通路が形成され、
前記連通路の一端部に前記温調管が接続され、
前記連通路の他端部が前記排水路の内部に臨むとともに連結管を介して前記ヘッダー管と連なっていてもよい。
これによって、ヘッダー管と温調管とを、閉塞部材を介して接続できる。
【発明の効果】
【００１１】
本発明に係る陸上競技場の地表面温調装置によれば、フィールドの地中にヘッダー管の収容スペースを確保できる。また、温調媒体の漏れ点検等のメンテナンスも容易になる。
【図面の簡単な説明】
【００１２】
【図１】図１は、本発明の第１実施形態に係る地表面温調装置が設備された陸上競技場を模式的に示す平面図である。
【図２】図２は、図１のＩＩ−ＩＩ線に沿う、前記陸上競技場の排水管（排水路）の断面図である。
【図３】図３は、図１の円部ＩＩＩにおける前記地表面温調装置の具体的構造の一例を示す平面図である。
【図４】図４は、図３のＩＶ−ＩＶ線に沿う、前記陸上競技場の走路の地中構造の断面図である。
【図５】図５は、本発明の第２実施形態を示し、陸上競技場の排水管（排水路）の断面図である。
【図６】図６は、本発明の第３実施形態を示し、陸上競技場の排水溝（排水路）の断面図である。
【図７】図７は、本発明の第４実施形態に係る地表面温調装置が設備された陸上競技場の一部分を模式的に示す平面図である。
【図８】図８は、本発明の第５実施形態に係る地表面温調装置の一部分を示す平面図である。
【発明を実施するための形態】
【００１３】
以下、本発明の実施形態を図面にしたがって説明する。
＜第１実施形態＞
図１に示すように、本発明形態は、陸上競技場９に適用される。陸上競技場９の走路９１（トラック）は、一対の直走路９４，９４と、一対の曲走路９５，９５を有し、長円環状になっている。かつ、走路９１は、複数（例えば７〜９）のレーン９７に区画されている。走路９１のスタート部分（図１において左下側部）においては、直走路９４が延長されることで、直走路９４と曲走路９５との重なり部９６が形成されている。
【００１４】
図４に示すように、走路９１の地表面下の地中は、下側から砕石層９１ｄ、下地層９１ｃ、充填層９１ｂ、表層９１ａの順に積層された積層構造になっている。下地層９１ｃは、例えばアスファルトコンクリートからなり、かつ相対的に大粒径の下側層部９１ｆと、相対的に小粒径の上側層部９１ｅとを含む。充填層９１ｂは、例えばゴムチップ及びウレタン樹脂にて構成されている。表層９１ａは、例えばウレタン樹脂にて構成されている。
【００１５】
図２に示すように、陸上競技場９における走路９１の内側のインフィールド９２の地中には、排水路を構成する排水管８０が埋設されている。排水管８０は、例えば断面円形の土管、コンクリート管、ないしは樹脂管等にて構成されている。図１に示すよう、排水管８０は、走路９１とフィールド９２との境界に沿って延びている。図示は省略するが、フィールド９２の地表面には細い排水溝が形成され、かつ排水溝の延び方向の複数箇所には集水桝が掘設されている。雨水は、排水溝を通って集水桝に集められ、そこから排水管８０へ流れる。
本発明形態においては、排水管８０の上側部が開閉可能であることが好ましい。すなわち、排水管８０が、管本体部８１と、その上側の蓋８２とに分割され、管本体部８１の上側の開放部８０ｅが蓋部８２によって開閉可能に閉塞されていることが好ましい。
排水管８０は、断面円形状に限られず、断面四角形状になっていてもよい。
【００１６】
図１に示すように、走路９１の外側のアウトフィールド９２の地面下には、排水路を構成する排水管８６が埋設されている。排水管８６は、前記排水管８０と同様の構造になっている。排水管８６は、走路重なり部９６等に沿って延びている。
【００１７】
図１に示すように、陸上競技場９には、地表面温調装置１が設備されている。地表面温調装置１は、ヘッダー管１０と、温調管２０を備えている。これらヘッダー管１０及び温調管２０が、温調媒体Ａの通路となり、走路９１を温調する。
温調媒体Ａとしては水が用いられている。なお、温調媒体Ａは、水に限られず、ブライン等を用いてもよい。
【００１８】
図１に示すように、インフィールド９２の地表面下には、２つのヘッダー管１０，１０が設けられている。走路重なり部９６の外側（図１において下側）のアウトフィールド９３の地表面下には、１つのヘッダー管１０が設けられている。以下、これらヘッダー管１０，１０，１０を互いに区別する際は、インフィールド９２の２つのヘッダー管１０，１０のうち一方を供給ヘッダー管１０Ａと称し、他方を排出ヘッダー管１０Ｂと称し、アウトフィールド９３のヘッダー管１０を排出ヘッダー管１０Ｄと称す。
【００１９】
図１及び図２に示すように、インフィールド９２の供給ヘッダー管１０Ａ及び排出ヘッダー管１０Ｂは、排水管８０の内部に設けられている。１つの排水管８０内に２つのヘッダー管１０Ａ，１０Ｂが並んで収容されている。図１に示すように、ヘッダー管１０Ａ，１０Ｂは、排水管８０ひいては走路９１の内周縁に沿って延びている。
なお、図１においては、ヘッダー管１０Ａ，１０Ｂは、それぞれ走路９１のほぼ全周にわたって連続する環状になっているが、走路９１の延び方向（周方向）に沿って複数に分割されていてもよい。
【００２０】
アウトフィールド９３の排出ヘッダー管１０Ｄは、排水管８６に収容されている。排出ヘッダー管１０Ｄは、排水管８６に沿って延び、ひいては走路重なり部９６の外側（図１において下側）の縁に沿って延びている。
【００２１】
供給ヘッダー管１０Ａの上流端は、供給接続管１１を介してチラー２（温調源）の送出ポート２ａに接続されている。排出ヘッダー管１０Ｂ，１０Ｄの下流端は、排出接続管１２を介してチラー２の還流ポート２ｂに接続されている。
なお、供給ヘッダー管１０Ａの下流端及び排出ヘッダー管１０Ｂ，１０Ｄの上流端は、それぞれ閉塞されている。
【００２２】
チラー２の設置場所は任意に設定でき、例えば陸上競技場９のスタンド（観客席）の隅部等であってもよい。
温調源は、チラー２に限られず、地中熱（冷熱又は温熱）を利用してもよく、陸上競技場９に付設された貯水槽を利用して熱交換するようにしてもよい。
【００２３】
図１に示すように、陸上競技場９の走路９１に複数の温調管２０，２０…が配置されている。温調管２０は、例えばポリエチレン等の樹脂にて構成されている。各温調管２０の流路断面積は、ヘッダー管１０の流路断面積よりも十分に小さい。
【００２４】
図４に示すように、温調管２０は、走路９１の地表面下に埋設されている。好ましくは、温調管２０は、充填層９１ｂに埋設されている。各温調管２０は、管固定部材４０によって支持されている。管固定部材４０は、例えば四角形の枠状のベース部４１を有している。ベース部４１に複数の爪状の保持部４２が設けられている。保持部４２に温調管２０が嵌め込まれている。管固定部材４０は、下地層９１ｃの上面（充填層９１ｂと下地層９１ｃの境）に敷設されている。
【００２５】
図１に示すように、複数の温調管２０，２０…は、互いに走路９１の延び方向に並べられている。各温調管２０は、当該温調管２０が配置された箇所における走路９１の延び方向と交差している。これら温調管２０のうち、走路重なり部９６を通る温調管２０Ｂ以外の温調管２０Ａ，２０Ｃは、折り返しを有する往復路となっている。直走路９４（走路重なり部９６を除く）の各温調管２０Ａは、直走路９４と直交している。曲走路９５（走路重なり部９６を除く）の温調管２０Ｃ，２０Ｃ…どうしは、曲走路９５の内周り側から外周り側へ互いに放射状に配置されている。
なお、温調管２０Ｃ，２０Ｃ…どうしが、互いに平行に配置されていてもよい。
【００２６】
図１に示すように、走路重なり部９６を通る温調管２０Ｂは、直走路９４の延び方向と直交するように延び、折り返しが無い片道路になっている。複数の温調管２０Ｂ，２０Ｂ…は、互いに並行流を構成している。
【００２７】
なお、図１においては、作図の便宜上、温調管２０どうしの配置間隔が疎らになっているが、温調管２０どうしが狭い間隔で密に配置されていてもよい（図３参照）。また、図３に示すように、一定数の温調管２０，２０…によって１つの温調管ユニット２９が構成されていてもよい。複数の温調管ユニット２９が、走路９１の延び方向に密に並べられていてもよい。直走路９４及び曲走路９５（走路重なり部９６を除く）における各温調管ユニット２９の温調管直走路９４及び曲走路９５（走路重なり部９６を除く）における各温調管ユニット２９の温調管２０Ａ，２０Ａ…（２０Ｃ，２０Ｃ…）どうしは、互いに多重環状をなすように配置されていることが好ましい。更に、各温調管ユニット２９の隣接する温調管２０Ａ，２０Ａ（２０Ｃ，２０Ｃ）が互いに対向流を構成することが好ましい。
【００２８】
図１に示すように、各温調管２０（２０Ａ〜２０Ｃ）の上流端は供給ヘッダー管１０Ａに接続されている。かつ、各温調管２０の下流端は、排出ヘッダー管１０Ｂ，１０Ｄに接続されている。図２に示すように、ヘッダー管１０には温調管２０との接続ポート１０ｐが設けられている。ヘッダー管１０と温調管２０との接続部（接続ポート１０ｐ）は、排出管８０，８６の内部に配置されている。
【００２９】
図２に示すように、各温調管２０における端部近くの部分が、排水管８０（８６）の管壁の挿通穴８３に通されている。図２においては、挿通穴８３は、蓋部８２に形成されているが、管本体部８１の管壁に形成されていてもよい。挿通穴８３と温調管２０との間は、封止材３２によって液密に封止されている。封止材３２としては、モルタルやエポキシ樹脂等が挙げられる。
【００３０】
チラー２において温調された温調媒体Ａが、供給ヘッダー管１０Ａから温調管２０，２０…に分配される。各温調管２０内を温調媒体Ａが流れることで、走路９１の地表面が冷却（温調）される。温調管２０，２０…からの温調媒体Ａは、排出ヘッダー管１０Ｂ，１０Ｄによって回収されて、チラー２へ戻される。
【００３１】
陸上競技場９に地表面温調装置１を構築する際は、新設競技場の場合は、図４に示すように、下地層９１ｃの上側アスコン層部９１ｅを敷設した後、既設競技場の場合は、既設の表層９１ａ及び充填層９１ｂを撤去し、更に好ましくはアスコン層部９１ｅの上側部分をもざぐって撤去した後、管固定部材４０を配置する。この管固定部材４０上に温調管２０を配管して、保持部４２に温調管２０を嵌め込む。次に、充填層９１ｂを被せることで、温調管２０及び管固定部材４０を充填層９１ｂ中に埋める。更に、表層９１ａを敷設する。
【００３２】
また、ヘッダー管１０については、新設競技場の場合は、排水管８０の作製時に排水管８０内に収容してもよい。
既設競技場の場合は、図２の二点鎖線にて示すように、排水管８０より上側の部分９２ｂを開削し、排水管８０の上面を露出させる。さらに、排水管８０の上側部を切除して、開放部８０ｅを形成する。次に、ヘッダー管１０を排水管８０に収容する。また、開放部８０ｅに合う蓋部８２を用意し、その挿通穴８３に温調管２０を通し、温調管２０の端部をヘッダー管１０の接続ポート１０ｐに接続する。さらに、開放部８０ｅに蓋部８２を被せる。その後、開削部９２ｂを埋め戻す。
【００３３】
この地表面温調装置１によれば、排水管８０の内部をヘッダー管１０の配置スペースとすることによって、ヘッダー管１０のための埋設溝を別途掘削する必要がない。また、ヘッダー管１０と温調管２０との接続部すなわち接続ポート１０ｐにおいては、温調媒体Ａの漏れが起きやすいところ、接続ポート１０ｐを排水管８０内に配置することで、漏れ点検を容易に行うことができる。たとえ、接続ポート１０ｐから温調媒体Ａの漏れが起きたとしても、漏れた温調媒体Ａは排水管８０内に直接的に流入して排出される。したがって、陸上競技場９のグラウンドの地中に温調媒体Ａが含浸されるのを防止できる。
【００３４】
温調管２０を走路９１の延び方向と交差させることで、温調管２０の長さを短くして圧損を抑制できる。したがって、温調媒体Ａの圧送のための所要動力を小さくできる。
走路重なり部９６の温調管２０Ｂについては、片道路とすることで、長さが過大にならないようにでき、圧損を一層抑制できる。
【００３５】
次に、本発明の他の実施形態を説明する。以下の実施形態において既述の形態と重複する構成に関しては図面に同一符号を付して説明を省略する。
＜第２実施形態＞
図５は、本発明の第２実施形態を示したものである。第２実施形態においては、排水管８０の上端部が開放され、その開放部８０ｅが閉塞部材５０によって塞がれている。開放部８０ｅの縁部と閉塞部材５０との間は、モルタルやエポキシ樹脂等の封止材３３で封止されている。閉塞部材５０は、例えば断面四角形状をなし、排水管と平行に図５の紙面直交方向へ延びている。閉塞部材５０の材質は、塩ビ、ポリエチレン、ポリプロピレン等の樹脂であるが、これに限定されるものではない。閉塞部材５０は、フィールド９２の地表面と排水管８０との間の地中に埋設されている。
【００３６】
閉塞部材５０の内部には、連通路５２が形成されている。連通路５２の一端部は、閉塞部材５０における走路９１側（図５において右側）の端面に達している。この連通路５２の一端部に温調管２０の端部が接続されている。連通路５２と温調管２０の接続部は、走路９１とフィールド９２との境付近に位置し、かつ排水管８０よりも地表面の近くに配置されている。したがって、点検が容易である。
連通路５２の他端部は、排水管８０の内部へ臨んでいる。連通路５２の他端部が、連結管２５を介してヘッダー管１０に連なっている。
【００３７】
＜第３実施形態＞
図６は、本発明の第３実施形態を示したものである。第３実施形態においては、排水路が排水溝８４によって構成されている。排水溝８４は、溝本体部８４ａと、蓋８４ｂを含み、断面四角形状になっている。溝本体部８４ａの上面部が開放され、そこに蓋８４ｂが設けられている。蓋８４ｂの中央部に穴部８４ｃが形成され、雨水が穴部８４ｃから排水溝８４内に流入可能になっている。
【００３８】
排水溝８４の内部に２つのヘッダー管１０，１０が並べられて収容されている。
走路９１の地表面下からの温調管２０が、溝本体部８４ａの側壁の貫通穴８４ｄを通して排水溝８４の内部に導入され、ヘッダー管１０の接続ポート１０ｐに接続されている。貫通穴８４ｄの内周面と温調管２０との間は、モルタルやエポキシ樹脂等の封止材３２によって封止されている。
【００３９】
第３実施形態（図６）においては、蓋８４ｂを外すだけで、排水溝８４の内部を地上に開放できる。したがって、ヘッダー管１０の収容作業、貫通穴８４ｄの形成作業、温調管２０とヘッダー管１０との接続作業等を容易に行なうことができる。施工後の点検、メンテナンスも容易に行なうことができる。
なお、図６における排水溝８４は、インフィールド９２に設けられているが、これに限られず、アウトフィールド９３に設けられていてもよい。第１実施形態のインフィールド９２の排水管８０（図１、図２）に代えて、図６の排水溝８４が用いられていてもよく、アウトフィールド９３の排水管８６に代えて、図６の排水溝８４が用いられていてもよい。
【００４０】
＜第４実施形態＞
図７は、本発明の第４実施形態を示したものである。第４実施形態では、走路重なり部９６における複数の温調管２０Ｂが、対向流を構成している。排出接続管１２から供給ヘッダー管１０Ｃが分岐されている。排水管８６に供給ヘッダー管１０Ｃと排出ヘッダー管１０Ｄとが並んで収容されている。
【００４１】
複数の重なり部温調管２０Ｂ，２０Ｂ…のうち一部の温調管２０Ｂａは、インフィールド９２側（図７において上側）の端部が供給ヘッダー管１０Ａに接続され、かつアウトフィールド９３側（図７において下側）の端部が排出ヘッダー管１０Ｄに接続されている。
複数の重なり部温調管２０Ｂ，２０Ｂ…のうち残りの温調管２０Ｂｂは、アウトフィールド９３側（図７において下側）の端部が供給ヘッダー管１０Ｃに接続され、かつインフィールド９２側（図７において上側）の端部が排出ヘッダー管１０Ｂに接続されている。
【００４２】
＜第５実施形態＞
図８は、本発明の第５実施形態を示したものである。第５実施形態では、温調管２０が、走路９１と平行に延びるように配管されている。好ましくは、複数の温調管２０，２０…によって温調管ユニット２９が構成され、この温調管ユニット２９が走路９１のレーン９７ごとにレーン９７に沿って延びるように配置されている。各温調管２０は、両端部近くにおいて約９０度曲げられて、ヘッダー管１０の接続ポート１０ｐに接続されている。
【００４３】
本発明は、前記実施形態に限定されるものではなく、その趣旨に反しない限りにおいて種々の改変をなすことができる。
例えば、走路重なり部９６の温調管２０Ｂについても往復型にし、その両端部をインフィールド９２の排水管８０内においてヘッダー管１０Ａ，１０Ｂと接続してもよい。そうすることで、アウトフィールド９３の排水管８６内のヘッダー管１０Ｃ，１０Ｄを省略してもよい。
第４、第５実施形態（図６〜図７）の排水管８０，８６に代えて、第３実施形態（図５）の排水溝８４が用いられていてもよい。
温調媒体Ａとして熱媒体を用いてもよい。地表面温調装置１を冷却装置としてだけでなく、加温装置や融雪装置として利用してもよい。
【産業上の利用可能性】
【００４４】
本発明は、例えば陸上競技場のトラック（走路）の地表面下を冷却する冷却システムに適用可能である。
【符号の説明】
【００４５】
Ａ              水（温調媒体）
１              地表面温調装置
１０            ヘッダー管
１０Ａ，１０Ｃ  供給ヘッダー管
１０Ｂ，１０Ｄ  排出ヘッダー管
２０            温調管
２５            連結管
５０            閉塞部材
５２            連通路
８０            排水管（排水路）
８０ｅ          開放部
８３            挿通穴
８４            排水溝（排水路）
８６            排水管（排水路）
９              陸上競技場
９１            走路
９２            フィールド（インフィールド）
９３            アウトフィールド（フィールド）
【図１】
0006613178.tif 000002
【図２】
0006613178.tif 000003
【図３】
0006613178.tif 000004
【図４】
0006613178.tif 000005
【図５】
0006613178.tif 000006
【図６】
0006613178.tif 000007
【図７】
0006613178.tif 000008
【図８】
0006613178.tif 000009